(57)【要約】【課題】在室している利用者に応じて、他の利用者の入室を制限することにより、特定の部屋における利用者の鉢合わせを防止し、鉢合わせにより不都合が生じるのを回避することができる入室管理装置を提供する。【解決手段】入室管理装置１は、部屋Ｘへの入室を許可する利用者毎に、この利用者の識別情報と、この利用者が属するグループとを対応づけて記憶している。また、部屋に在室している利用者を記憶している。入室管理装置１は、部屋Ｘに入室を希望する利用者の識別情報が入力されると、部屋に異なるグループの利用者が在室していると、今回識別情報が入力された利用者の入室を拒否する。これにより、部屋Ｘでの利用者の鉢合わせにより不都合が生じるのを回避することができる。【選択図】図１
2004348392.tif 000002
【特許請求の範囲】
【請求項１】
入室を許可する利用者毎に、この利用者の識別情報とこの利用者が属するグループとを対応づけて記憶する利用者情報記憶手段と、
在室している利用者を記憶する在室者記憶手段と、
入室を希望する利用者の識別情報が入力されたときに、上記利用者情報記憶手段の記憶内容に基づいて、今回識別情報が入力された利用者が属するグループを検出するグループ検出手段と、
上記在室者記憶手段が記憶している、在室している利用者の中に上記グループ検出手段が検出したグループと異なるグループに属する利用者がいるかどうかを判定する判定手段と、
上記判定手段が異なるグループに属する利用者が在室していると判定すると、今回識別情報が入力された利用者の入室を拒否する入室制限手段と、を備えた入室管理装置。
【請求項２】
入室を許可する利用者毎に、この利用者の識別情報とこの利用者が属するグループとを対応づけて記憶する利用者情報記憶手段と、
グループ間毎に、利用者の同室を許容するかどうかを示す同室許容情報を記憶する同室許容情報記憶手段と、
在室している利用者を記憶する在室者記憶手段と、
入室を希望する利用者の識別情報が入力されたときに、上記利用者情報記憶手段の記憶内容に基づいて、今回識別情報が入力された利用者が属するグループを検出するグループ検出手段と、
上記同室許容情報記憶手段に記憶している上記同室許容情報を用いて、上記在室者記憶手段が記憶している、在室している利用者の中に上記グループ検出手段が検出したグループの利用者との同室を許容しないグループに属する利用者がいるかどうかを判定する判定手段と、
上記判定手段が同室を許容しないグループに属する利用者が在室していると判定すると、今回識別情報が入力された利用者の入室を拒否する入室制限手段と、を備えた入室管理装置。
【請求項３】
上記入室制限手段は、上記グループ検出手段により、今回識別情報が入力された利用者が属するグループが検出できなかったとき、この利用者の入室を拒否する請求項１または２に記載の入室管理装置。
【発明の詳細な説明】
【０００１】
【発明の属する技術分野】
この発明は、特定の部屋に入室する利用者を制限する入室管理装置に関し、特に特定の部屋に在室している利用者に応じて、他の利用者の入室を制限する入室管理装置に関する。
【０００２】
【従来の技術】
従来、特定の部屋のセキュリティを確保するために、この特定の部屋に入室する利用者を制限する入室管理装置があった。従来の一般的な入室管理装置は、この特定の部屋への入室を許可する利用者毎に識別情報を記憶している。また、特定の部屋への入室が許可されている利用者には、この利用者の識別情報を記憶させたカード、例えば磁気カード、ＩＣカード、非接触カード、が発行されている。利用者は、この特定の部屋に入室するとき、ドアの近くに配置されているカードリーダに所持しているカードに記憶されていう識別情報を読み取らせる。カードリーダは、読み取った識別情報を入室管理装置に入力する。入室管理装置は、カードリーダから入力された識別情報が、この特定の部屋への入室が許可されている利用者の識別情報であるかどうかを判定する。具体的には、入力された識別情報を、入室を許可する利用者の識別情報として記憶しているかどうかを判定する。入室管理装置は、入室が許可されている利用者であると判定すると、ドアに設けられた電気錠を解錠し、この利用者の入室を許可する。反対に、入室が許可されていない利用者であると判定すると、上記電気錠を解錠せずに（施錠した状態を保持し）、この利用者の入室を拒否する。
【０００３】
また、特定の部屋のセキュリティを向上させるために、改竄難易度の異なる複数のカード（利用者の識別情報を記憶した媒体）を使用して、入退室管理を行う入退室管理装置（特許文献１参照）や、管理者が在室していないときには一般利用者の入室を拒否する入退室管理装置（特許文献２参照）が提案されている。
【０００４】
【特許文献１】
特開平５−３１４１３８号公報
【特許文献２】
特開２００１−５８７５号公報
【０００５】
【発明が解決しようとする課題】
しかしながら、従来の入室管理装置は、特定の部屋に在室している利用者に応じて、他の利用者の入室を制限（拒否）することができなかった。このため、特定の部屋に利用者が入室したときに、この利用者と、この特定の部屋に在室している利用者と、が顔を合わせたことにより（鉢合わせしたことにより）不都合が生じるのを回避することができなかった。
【０００６】
例えば、ある会社Ｚが取引先の複数の会社に対して、会社見学を実施したときに、競合している会社Ａ、会社Ｂの社員が特定の部屋で鉢合わせすると、一方の会社Ａ（または会社Ｂ）の営業秘密が他方の会社Ｂ（または会社Ａ）に漏れるという不都合が生じることがある。また、会社見学を実施した会社Ｚは、一方の会社の営業秘密が他方の会社に漏れたことで、自社の信用を低下させる。
【０００７】
この発明の目的は、在室している利用者に応じて、他の利用者の入室を制限することにより、特定の部屋における利用者の鉢合わせを防止し、鉢合わせにより不都合が生じるのを回避することができる入室管理装置を提供することにある。
【０００８】
【課題を解決するための手段】
この発明の入室管理装置は、上記課題を解決するために以下の構成を備えている。
【０００９】
（１）入室を許可する利用者毎に、この利用者の識別情報とこの利用者が属するグループとを対応づけて記憶する利用者情報記憶手段と、
在室している利用者を記憶する在室者記憶手段と、
入室を希望する利用者の識別情報が入力されたときに、上記利用者情報記憶手段の記憶内容に基づいて、今回識別情報が入力された利用者が属するグループを検出するグループ検出手段と、
上記在室者記憶手段が記憶している、在室している利用者の中に上記グループ検出手段が検出したグループと異なるグループに属する利用者がいるかどうかを判定する判定手段と、
上記判定手段が異なるグループに属する利用者が在室していると判定すると、今回識別情報が入力された利用者の入室を拒否する入室制限手段と、を備えている。
【００１０】
この構成では、利用者情報記憶手段が、特定の部屋への入室を許可する利用者毎に、利用者の識別情報と、この利用者が属するグループとを対応づけて記憶している。利用者が属するグループは、例えば利用者が勤務する会社等の団体とすればよい。また、在室者記憶手段が特定の部屋に在室している利用者を記憶している。入室を希望する利用者の識別情報が入力されると、グループ検出手段が利用者情報記憶手段の記憶内容に基づいて、今回識別情報が入力された利用者、すなわち入室を希望する利用者、が属するグループを検出する。また、判定手段がグループ検出手段により検出された利用者のグループと異なるグループの利用者が在室しているかどうかを判定する。ここで、異なるグループの利用者が在室していると判定すると、入室制限手段が今回識別情報が入力された利用者の入室を拒否する。
【００１１】
このように、利用者が特定の部屋への入室を希望しても、異なるグループの利用者が在室していると、この利用者の入室を拒否するので、この特定の部屋でグループが異なる利用者が鉢合わせするのを防止できる。したがって、利用者の鉢合わせにより不都合が生じるのを回避することができる。
【００１２】
（２）入室を許可する利用者毎に、この利用者の識別情報とこの利用者が属するグループとを対応づけて記憶する利用者情報記憶手段と、
グループ間毎に、利用者の同室を許容するかどうかを示す同室許容情報を記憶する同室許容情報記憶手段と、
在室している利用者を記憶する在室者記憶手段と、
入室を希望する利用者の識別情報が入力されたときに、上記利用者情報記憶手段の記憶内容に基づいて、今回識別情報が入力された利用者が属するグループを検出するグループ検出手段と、
上記同室許容情報記憶手段に記憶している上記同室許容情報を用いて、上記在室者記憶手段が記憶している、在室している利用者の中に上記グループ検出手段が検出したグループの利用者との同室を許容しないグループに属する利用者がいるかどうかを判定する判定手段と、
上記判定手段が同室を許容しないグループに属する利用者が在室していると判定すると、今回識別情報が入力された利用者の入室を拒否する入室制限手段と、を備えている。
【００１３】
この構成では、利用者情報記憶手段が特定の部屋への入室を許可する利用者毎に、利用者の識別情報とこの利用者が属するグループとを対応づけて記憶しているとともに、同室許容情報記憶手段がグループ間毎に、利用者の同室を許容するかどうかを示す同室許容情報を記憶している。同室許容情報は、鉢合わせしても不都合が生じないグループ間については同室を許容し、反対に不都合が生じるグループ間については同室を許容しないことを示す情報である。また、在室者記憶手段が在室している利用者を記憶している。
【００１４】
特定の部屋への入室を希望する利用者の識別情報が入力されると、グループ検出手段が利用者情報記憶手段の記憶内容に基づいて、今回識別情報が入力された利用者、すなわち入室を希望する利用者、が属するグループを検出する。また、判定手段が、グループ検出手段により検出された利用者のグループと同室することを許容しないグループの利用者が在室しているかどうかを判定する。ここで、同室することを許容しないグループの利用者が在室していると判定されると、入室制限手段が今回識別情報が入力された利用者の入室を拒否する。
【００１５】
このように、利用者が特定の部屋への入室を希望しても、顔を合わせると不都合が生じる別のグループの利用者が在室していると、この利用者の入室を拒否するので、この特定の部屋で顔を合わせると不都合が生じるグループの利用者が鉢合わせするのを防止できる。したがって、利用者の鉢合わせにより不都合が生じるのを回避することができる。
【００１６】
（３）上記入室制限手段は、上記グループ検出手段により、今回識別情報が入力された利用者が属するグループが検出できなかったとき、この利用者の入室を拒否する。
【００１７】
この構成では、グループ検出手段により、今回識別情報が入力された利用者が属するグループが検出できなかったとき、すなわち利用者情報記憶手段に識別情報が記憶されていない利用者であるとき、この利用者の入室を拒否するので、この特定の部屋のセキュリティを低下させることもない。
【００１８】
【発明の実施の形態】
以下、この発明の実施形態である入室管理装置について説明する。
【００１９】
図１は、この発明の実施形態である入室管理装置を適用した入室管理システムの構成を示す図である。図１において、１はこの発明の実施形態である入室管理装置である。この入室管理装置１は、部屋Ｘに入室する利用者を制限することで、この部屋を管理する。２は、部屋Ｘに入室する利用者が所持しているカード（例えば磁気カード、ＩＣカード、非接触カード）に記憶されている識別情報を読み取るカードリーダであり、３は部屋Ｘから退室する利用者が所持しているカードに記憶されている識別情報を読み取るカードリーダである。カードリーダ２は、カードに記憶されている識別情報を読み取ると、この識別情報を含む入室要求を入室管理装置１に送信する。また、カードリーダ３は、カードに記憶されている識別情報を読み取ると、この識別情報を含む退室要求を入室管理装置１に送信する。カードリーダ２は、部屋Ｘの室外で、且つドア５の近くに配置されている。カードリーダ３は、部屋Ｘの室内で、且つドア５の近くに配置されている。また、４は部屋Ｘのドア５に設けられた電気錠である。入室管理装置１が、電気錠４の施錠／解錠を制御し、部屋Ｘに入室する利用者を制限する。６は、部屋Ｘへの入室を許可する利用者にカードを発行するカード発行装置である。カード発行装置６は、部屋Ｘへの入室を許可する利用者にカードを発行する毎に、発行したカードに記憶されている識別情報（この利用者の識別情報となる。）、およびこの利用者が属するグループ、例えばこの利用者が勤務している会社等の団体、を示すグループ情報を含む発行通知を入室管理装置１に送信する。また、カード発行装置６は、カードの発行を取り消すときに、入室管理装置１に対して取消通知を送信する。
【００２０】
図２は、この発明の実施形態である入室管理装置の構成を示す図である。入室管理装置１は、本体の動作を制御する制御部１１と、部屋Ｘへの入室を許可する利用者の識別情報と、この利用者が属するグループを示すグループ情報と、を対応づけて記憶する識別情報記憶部１２と、部屋Ｘに在室している利用者を記憶する在室者記憶部１３と、カードリーダ２から送信されてきた入室要求、およびカードリーダ３から送信されてきた退室要求を受け付ける入退室要求受付部１４と、電気錠４に対して施錠／解錠を指示する施錠／解錠部１５と、カード発行装置６からの発行通知、および取消通知を受信する発行／取消通知受信部１６と、を備えている。
【００２１】
識別情報記憶部１２には、部屋Ｘへの入室を許可した利用者毎に、この利用者に発行したカードに記憶されている識別情報と、この利用者が属するグループを示すグループ情報と、が対応づけて記憶される（図３（Ａ）参照）。この識別情報記憶部１２が、この発明で言う利用者情報記憶手段に相当する。識別情報記憶部１２は、カード発行装置６から送信されてきた発行通知、取消通知に基づいて更新される。識別情報記憶部１２の更新については、後述する。
【００２２】
また、在室者記憶部１３には、部屋Ｘに在室している利用者の識別情報（この利用者に発行したカードに記憶されている識別情報）と、この利用者が属するグループを示すグループ情報と、が対応づけて記憶される（図３（Ｂ）参照）。在室者記憶部１３は、カードリーダ２、３から送信されてきた入室要求、退室要求に基づいて更新される。在室者記憶部１３の更新については後述する。在室者記憶部１３が、この発明で言う在室者記憶手段に相当する。
【００２３】
なお、ここではグループ情報を利用者が勤務している会社としている。
【００２４】
次に、この発明の実施形態である入室管理装置１の動作について説明する。ここでは、図１に示した入室管理システムを適用した会社Ｚが、取引先の複数の会社に対して会社見学を実施している場合を例にしながら、この発明の実施形態である入室管理装置１の動作を説明する。カード発行装置６は、この会社Ｚの門の警備室に設置されている。警備員が、カード発行装置６を操作し、会社見学に来た取引先の会社の社員に対してカードを発行する。会社見学に来た取引先の会社の社員を以下利用者と言う。また、警備員は会社見学を終えて帰る利用者から発行したカードを回収したときに、カード発行装置６を操作して、この回収したカードを取り消す。
【００２５】
なお、部屋Ｘは利用者に見せる商品を展示した部屋であってもよいし、利用者との打ち合わせに使用する部屋であってもよい。
【００２６】
図４は、この発明の実施形態である入室管理装置の動作を示すフローチャートである。入室管理装置１は、カード発行装置６からの発行通知、または取消通知、カードリーダ２からの入室要求、カードリーダ３から退室要求のいずれかが送信されてくるのを待っている（ｓ１〜ｓ４）。
【００２７】
まず、カード発行装置６から発行通知、または取消通知が送信されてきたときの動作について、カード発行装置６の動作とともに説明する。図５は、カード発行装置の動作を示すフローチャートである。上述したように、カード発行装置６は門の警備室に配置されている。また、警備室には未発行のカードが用意されている。警備員は、利用者が来ると、カード発行装置６を操作して、この利用者にカードを発行する。具体的には、カード発行装置６に設けられている発行キーを操作し、警備室に用意されている未発行のカードの中から適当なカードを抜き取り、このカードに記憶されている識別情報をカード発行装置６に読み取らせるとともに、カードを発行する利用者が勤務している会社名を入力する。
【００２８】
カード発行装置６は、発行キーが操作され（ｓ１１）、カードから識別情報を読み取り（ｓ１３）、会社名の入力を受け付けると（ｓ１４）、今回カードから読み取った識別情報、および入力された会社名を含む発行通知を入室管理装置１に送信する（ｓ１５）。この発行通知に含まれている会社名がグループ情報として利用される。
【００２９】
図４に戻って、入室管理装置１は発行／取消通知受信部１６においてカード発行装置１からの発行通知を受信すると、この発行通知に含まれている識別情報と会社名とを対応づけて、識別情報記憶部１２に追加記憶する（ｓ５）。
【００３０】
また、警備員は、会社見学を終えて帰る利用者から、入門時に発行したカードを回収すると、カード発行装置６で取消操作を行う。具体的には、カード発行装置６に設けられている取消キーを操作し、利用者から回収したカードに記憶されている識別情報をカード発行装置６に読み取らせる。
【００３１】
カード発行装置６は、図５に示すように、発行キーではなく取消キーが操作され（ｓ１２）、カードから識別情報を読み取ると（ｓ１６）、今回カードから読み取った識別情報を含む取消通知を入室管理装置１に送信する（ｓ１７）。
【００３２】
図４に戻って、入室管理装置１は発行／取消通知受信部１６においてカード発行装置１からの取消通知を受信すると、この取消通知に含まれている識別情報、およびこの識別情報対応づけられているグループ情報を識別情報記憶部１２から削除する（ｓ６）。
【００３３】
このように、カード発行装置６において発行されたカードに記憶されている識別情報は入室管理装置１の識別情報記憶部１２に記憶され、カード発行装置６において取り消されたカードに記憶されている識別情報は入室管理装置１の識別情報記憶部１２から削除される。したがって、入室管理装置１は、会社見学に来た利用者がカードを所持している間だけ、このカードに記憶されている識別情報と、このカードを所持している利用者の会社名（グループ情報）と、を対応づけて識別情報記憶部１２に記憶する。
【００３４】
なお、警備員が会社見学を終えて帰る利用者から回収し、カード発行装置６において上記取消操作を行ったカードについては、別の利用者に発行できる。言い換えれば、カードは、カード発行装置６において発行操作、取消操作を繰り返すことにより何度も利用できる。
【００３５】
カードが発行された利用者は、部屋Ｘに入室を希望するとき、所持しているカードの識別情報をカードリーダ２に読み取らせる。カードリーダ２は、カードに記憶している識別情報を読み取ると、この識別情報を含む入室要求を入室管理装置１に送信する。
【００３６】
入室管理装置１は、入退室要求受付部１４においてカードリーダ２からの入室要求を受け付けると、入室制限処理を実行する（ｓ７）。図６は、ｓ７にかかる入室制限処理を示すフローチャートである。入室管理装置１は、カードリーダ２から送信されてきた入室要求に含まれている識別情報が識別情報記憶部１２に記憶されているかどうかを判定する（ｓ２１）。識別情報記憶部１２に該当する識別情報が記憶されていれば、この識別情報に対応づけられている会社名を検出する（ｓ２２）。ｓ２２では、識別情報記憶部１２において記憶されている該当する識別情報に対応づけられている会社名を読み出す。
【００３７】
一方、入室管理装置１は、識別情報記憶部１２に該当する識別情報が記憶されていなければ、ｓ２１で部屋Ｘへの入室が許可されていない利用者であると判断し、本処理を終了する。
【００３８】
なお、識別情報記憶部１２に該当する識別情報が記憶されていなければ、この識別情報に対応づけられている会社、すなわち利用者が勤務する会社、を検出することはできない。
【００３９】
入室管理装置１は、ｓ２２で検出した会社と、異なる会社の利用者が部屋Ｘに在室しているかどうかを判定する（ｓ２３）。ｓ２３では、在室者記憶部１３に記憶されている利用者、すなわち部屋Ｘに在室している利用者がいるかどうかを判定し、在室している利用者がいれば、この在室している利用者が勤務する会社と、ｓ２２で検出した会社と、が同じであるかどうかを判定する。
【００４０】
入室管理装置１は、部屋Ｘに在室者がいない場合、または在室している利用者が勤務する会社とｓ２２で検出した会社とが同じである場合、カードリーダ２に識別情報を読み取らせた利用者に対して、部屋Ｘに入室することを許可する（ｓ２４）。ｓ２４では、施錠／解錠部１５から電気錠４に対して解錠信号を送信する。これにより、電気錠４が解錠され、利用者はドア５を開けて部屋Ｘに入室することができる。
【００４１】
入室管理装置１は、利用者が部屋Ｘへの入室を完了すると（ｓ２５）、施錠／解錠部１５から電気錠４に対して施錠信号を送信する（ｓ２６）。これにより、電気錠４は施錠される。ｓ２５では、例えばドア５が一旦開けられ、その後閉じられたときに、利用者が部屋Ｘへの入室を完了したと判定すればよい。そして、入室管理装置１は、今回の入室要求に含まれていた識別情報と、この識別情報に対応する会社名と、を対応づけて在室者記憶部１３に追加記憶する（ｓ２７）。
【００４２】
また、入室管理装置１は、ｓ２３で部屋Ｘに在室している利用者が勤務する会社とｓ２２で検出した会社とが異なる会社であると判定すると、カードリーダ２に設けられている表示部（不図示）に入室拒否を示すメッセージを表示させ（ｓ２８）、本処理を終了する。このとき、電気錠４は解錠されない。ｓ２８では、例えば「現在使用中です。しばらくしてから、入室してください。」というメッセージがカードリーダ２の表示部に表示される。
【００４３】
また、部屋Ｘに在室している利用者は、この部屋Ｘから退室するとき、所持しているカードの識別情報をカードリーダ３に読み取らせる。カードリーダ３は、カードに記憶している識別情報を読み取ると、この識別情報を含む退室要求を入室管理装置１に送信する。
【００４４】
入室管理装置１は、入退室要求受付部１４においてカードリーダ３からの退室要求を受け付けると、退室処理を実行する（ｓ８）。図７は、ｓ８にかかる退室処理を示すフローチャートである。入室管理装置１は、施錠／解錠部１５から電気錠４に対して解錠信号を送信する（ｓ３１）。これにより、電気錠４が解錠され、利用者はドア５を開けて部屋Ｘから退室することができる。入室管理装置１は、利用者が部屋Ｘから退出すると（ｓ３２）、施錠／解錠部１５から電気錠４に対して施錠信号を送信する（ｓ３３）。これにより、電気錠４は施錠される。ｓ３２では、上記ｓ２５と同様に、ドア５が一旦開けられ、その後閉じられたときに、利用者が部屋Ｘから退出したと判定すればよい。そして、入室管理装置１は、今回の退出要求に含まれていた識別情報およびこの識別情報対応づけられているグループ情報を在室者記憶部１３から削除する（ｓ３４）。
【００４５】
このように、この実施形態の入室管理装置１は、上記ｓ２７、ｓ３４の処理を実行することにより、部屋Ｘに在室している利用者の識別情報、および会社名を対応づけて、在室者記憶部１３に記憶することができる。そして、部屋Ｘに入室を希望する利用者がいると（すなわちこの利用者がカードに記憶されている識別情報をカードリーダ２に読み取らせると、）、入室を希望する利用者と異なる会社の利用者が部屋Ｘに在室しているかどうかを判定し、異なる会社の利用者が部屋Ｘに在室していれば、今回入室を希望している利用者の入室を拒否する。したがって、部屋Ｘにおいて異なる会社の利用者が鉢合わせするのを防止でき、利用者が鉢合わせすることにより不都合が生じるのを回避することができる。
【００４６】
次に、この発明の別の実施形態について説明する。この実施形態の入室管理装置は、図８に示すように同室許容情報記憶部１７を備えている点で上記実施形態と異なる。この同室許容情報記憶部１７には、グループ間（ここでは会社間）毎に同室を許容するかどうかを示す同室許容情報（図９参照）が記憶されている。この同室許容情報は、部屋Ｘにおいて、鉢合わせしても不都合が生じない会社間においては同室を許容し、不都合が生じるグループ間においては同室を許容しないことを定めた情報である。図９は、会社Ａと会社Ｃの利用者については同室を許容し、会社Ａと会社Ｂの利用者、および会社Ｂと会社Ｃの利用者については同室を許容しないことを定めた同室許容情報の例である。
【００４７】
この実施形態の入室管理装置１も上記実施形態の装置と略同じ処理を実行するが、入室制限処理が以下に示すように上記実施形態と異なる。
【００４８】
図１０は、この実施形態の入室管理装置１における入室制限処理を示すフローチャートである。図１０において、図６と同じ処理については同じステップ番号（ｓ＊＊）を付している。
【００４９】
入室管理装置１は、上記実施形態で説明したｓ２１〜ｓ２３の処理を行う。そして、入室管理装置１は、部屋Ｘに在室者がいない場合、または在室している利用者が勤務する会社とｓ２２で検出した会社とが同じである場合、上記実施形態と同様にｓ２４〜ｓ２７の処理を実行する。
【００５０】
一方、入室管理装置１は、ｓ２３で異なる会社の利用者が部屋Ｘに在室していると判定すると、在室している利用者の会社と、ｓ２２で検出した会社との間において、同室することが許容されているかどうかを判定する（ｓ４１）。ｓ４１にかかる判定は、同室許容情報記憶部１７に記憶している同室許容情報に基づいて判定される。入室管理装置１は、ｓ４１で同室することが許容されていると判定すると、ｓ２４〜ｓ２７の処理を実行する。反対に、ｓ４１で同室することが許容されていないと判定すると、ｓ２８の処理を実行する。
【００５１】
このように、入室管理装置１は、利用者が部屋Ｘへの入室を希望しても、顔を合わせることにより不都合が生じる会社の利用者が在室していると、この利用者の入室を拒否するので、部屋Ｘで顔を合わせると不都合が生じる会社の利用者が鉢合わせするのを防止できる。したがって、利用者の鉢合わせにより不都合が生じるのを回避することができる。
【００５２】
また、部屋Ｘで顔を合わせても不都合が生じない会社間の利用者については、同室することを許容し、今回入室を希望している利用者と顔を合わせても不都合が生じない利用者が在室している場合においては、今回入室を希望している利用者を入室させるようにしたので、利用者を無用に待たせることもない。
【００５３】
なお、上記実施形態では、利用者の属するグループを、その利用者が勤務する会社としたが、会社以外の項目で利用者の属するグループを決めてもよい。
【００５４】
【発明の効果】
以上のように、この発明によれば、利用者が特定の部屋への入室を希望しても、顔を合わせると不都合が生じるグループの利用者が在室していると、この利用者の入室を拒否するので、この特定の部屋でグループの利用者が鉢合わせするのを防止できる。したがって、利用者の鉢合わせにより不都合が生じるのを回避することができる。
【００５５】
また、特定の部屋で顔を合わせても不都合が生じないグループ間においては同室を許容し、今回入室を希望している利用者と顔を合わせても不都合が生じない利用者が在室している場合においては、今回入室を希望している利用者を入室させるようにしたので、利用者を無用に待たせることもない。
【図面の簡単な説明】
【図１】この発明の実施形態である入室管理装置を適用した入室管理システムの構成を示す図である。
【図２】この発明の実施形態である入室管理装置の構成を示す図である。
【図３】この発明の実施形態である入室管理装置における利用者情報、および在室者情報を説明する図である。
【図４】この発明の実施形態である入室管理装置の動作を示すフローチャートである。
【図５】カード発行装置の動作を示すフローチャートである。
【図６】この発明の実施形態である入室管理装置における入室制限処理を示すフローチャートである。
【図７】この発明の実施形態である入室管理装置における退室処理を示すフローチャートである。
【図８】この発明の別の実施形態である入室管理装置の構成を示す図である。
【図９】この発明の別の実施形態である入室管理装置が記憶する同室許容情報を説明する図である。
【図１０】この発明の別の実施形態である入室管理装置における入室制限処理を示すフローチャートである。
【符号の説明】
１−入室管理装置
２、３−カードリーダ
４−電気錠
５−ドア
６−カード発行装置
１１−制御部
１２−識別情報記憶部
１３−在室者記憶部
１４−入退室要求受付部
１５−施錠／解錠部
１６−発行／取消通知受信部
１７−同室許容情報記憶部
【図１】
2004348392.tif 000003
【図２】
2004348392.tif 000004
【図３】
2004348392.tif 000005
【図４】
2004348392.tif 000006
【図５】
2004348392.tif 000007
【図６】
2004348392.tif 000008
【図７】
2004348392.tif 000009
【図８】
2004348392.tif 000010
【図９】
2004348392.tif 000011
【図１０】
2004348392.tif 000012